(57)【要約】【課題】本発明は、操縦安定性能及び高速耐久性能と、耐摩耗性能及び高速耐久性能とのいずれかを満足することができる。【解決手段】  本発明は、トレッド部３０からサイドウォール部２０を通りビードコア４０に至るカーカス５０と、トレッド部３０の下方域に備えられたベルト層６０と、カーカス５０とベルト層６０との間にタイヤ周方向に螺旋巻きされた補強コード７１からなる補強層７０とを備えている。この補強層７０は、タイヤ赤道に対して非対称なタイヤ幅方向の剛性を有している。【選択図】図１
2006188154.tif 000002
【特許請求の範囲】
【請求項１】
トレッド部からサイドウォール部を通りビードコアに至るカーカスと、前記トレッド部の下方域に備えられたベルト層と、前記カーカスと前記ベルト層との間にタイヤ周方向に螺旋巻きされた補強コードからなる補強層とを備える空気入りタイヤであって、
前記補強層は、タイヤ赤道に対して非対称なタイヤ幅方向の剛性を有していることを特徴とする空気入りタイヤ。
【請求項２】
前記補強コードは、タイヤ幅方向の一端から他端に向けて徐々に密に備えられることを特徴とする請求項１に記載の空気入りタイヤ。
【請求項３】
前記補強コードの撚り数は、タイヤ幅方向の一端から他端に向けて徐々に少なくなることを特徴とする請求項１に記載の空気入りタイヤ。
【請求項４】
前記補強コードの幅は、タイヤ幅方向の一端から他端に向けて徐々に広くなることを特徴とする請求項１に記載の空気入りタイヤ。
【発明の詳細な説明】
【技術分野】
【０００１】
本発明は、トレッド部からサイドウォール部を通りビードコアに至るカーカスと、トレッド部の下方域に備えられたベルト層と、カーカスとベルト層との間にタイヤ周方向に螺旋巻きされた補強コードからなる補強層とを備える空気入りタイヤに関する。
【背景技術】
【０００２】
従来からの空気入りタイヤは、１枚又は２枚のカーカスと、該カーカスの外側に備えられ、タイヤ周方向に対して互いに交叉するコードを備えるベルト層とを備えている。また、空気入りタイヤは、カーカス、ベルト層に加えて、タイヤ周方向に対して１０°以下の補強コードをベルト層に巻き付けてなる構成を備えている。この補強コードが芳香族ポリアミドから構成されることにより、トレッド部の剛性が高まるため、高速時においてトレッド部がタイヤの外側に向けて丸状に形成されず、操縦安定性能又は高速耐久性能が保たれる。
【０００３】
一方、所定の扁平率よりも低い扁平率のタイヤに対して有機繊維からなる補強コードが備えられると、ベルト層の幅方向に変形などが生じる。そのことにより、螺旋巻きされた補強コードの幅方向（又はベルト層の幅方向）に対する張力分布が不均一となるため、トレッド部の接地形状が適切な形状ではなくなり、タイヤの耐摩耗性能及びハイドロプレーニング特性が低下することとなる。そのため、補強コードがベルト層上に備えられるのではなく、補強コードがベルト層とカーカスとの間に備えられる技術が提供されている（例えば、特許文献１、特許文献２参照）。そのことにより、補強コードが備えられたことによるベルト層の変形などが抑制されるため、トレッド部の接地形状が適切な形状となる。
【特許文献１】特開昭５７−２３００５９号公報
【特許文献２】特開昭６３−１５０２１６号公報
【発明の開示】
【発明が解決しようとする課題】
【０００４】
しかしながら、補強コードがベルト層とカーカスとの間に備えられることにより、トレッド部の接地形状が適切な形状となるものの、その補強コードの剛性が高められると、操縦安定性能が向上する一方で、トレッド部の接地形状の端部における柔軟性が低下し、サイドウォール部が滑り易くなるため、耐摩耗性能及び高速耐久性能が低下することがあった。これに対し、補強コードの剛性が低められると、高速時においてベルト層の剛性が低下してタイヤの横力も低下するため、操縦安定性能が低下し、更には高速時においてトレッド部がタイヤの外側に変形し易くなるため、高速耐久性能が低下することがあった。
【０００５】
そこで、本発明は上述の問題点に鑑みてなされたものであり、操縦安定性能及び高速耐久性能と、耐摩耗性能及び高速耐久性能とのいずれかを満足し得る空気入りタイヤを提供することを目的とする。
【課題を解決するための手段】
【０００６】
本発明は、上記課題を解決するために、トレッド部からサイドウォール部を通りビードコアに至るカーカスと、トレッド部の下方域に備えられたベルト層と、カーカスとベルト層との間にタイヤ周方向に螺旋巻きされた補強コードからなる補強層とを備える空気入りタイヤであって、補強層がタイヤ赤道に対して非対称なタイヤ幅方向の剛性を有していることを特徴とする。
【０００７】
このような本発明によれば、タイヤ幅方向の一端において高速耐久性能及び耐摩耗性能が確保され得る剛性の補強コードが備えられ、タイヤ幅方向の他端においてその剛性よりも増加された補強コードが備えられることにより、高速時においてトレッド部がタイヤの外側に向けて変形し難くなり、トレッド部の接地形状が適切な形状に保持し続けるため、高速時においてもタイヤの横力が良好に保たれ、操縦安定性能及び高速耐久性能が良好に保たれる。一方、タイヤ幅方向の一端において高速耐久性能及び耐摩耗性能が確保され得る剛性の補強コードが備えられ、タイヤ幅方向の他端においてその剛性よりも減少された補強コードが備えられることにより、タイヤ幅方向の他端における柔軟性が向上してサイドウォール部が滑り難くなるため、耐摩耗性能及び高速耐久性能が良好に保たれる。このように、補強層がタイヤ赤道に対して非対称なタイヤ幅方向の剛性を有していることにより、操縦安定性能及び高速耐久性能と、耐摩耗性能及び高速耐久性能とのいずれかを満足することができる。
【０００８】
上記発明においては補強コードは、タイヤ幅方向の一端から他端に向けて徐々に密に備えられてもよい。補強コードの撚り数は、タイヤ幅方向の一端から他端に向けて徐々に少なくなってもよい。補強コードの幅は、タイヤ幅方向の一端から他端に向けて徐々に広くなってもよい。この場合には、補強コードは、タイヤ幅方向の一端から他端に向けて徐々に密に備えられ、補強コードの撚り数がタイヤ幅方向の一端から他端に向けて徐々に少なくされ、又は補強コードの幅がタイヤ幅方向の一端から他端に向けて徐々に広くされることにより、補強層がタイヤ赤道に対して非対称なタイヤ幅方向の剛性を有しており、補強コードの剛性がタイヤ幅方向の一端から他端に向けて増加又は減少されることとなるため、操縦安定性能及び高速耐久性能、又は耐摩耗性能及び高速耐久性能のいずれかを満足することができる。
【発明の効果】
【０００９】
本発明によれば、高速時において操縦安定性能及び高速耐久性能と、耐摩耗性能及び高速耐久性能とのいずれかを満足することができる。
【発明を実施するための最良の形態】
【００１０】
本実施形態に係る空気入りタイヤ１０について、図面を参照しながら説明する。図１は、本実施形態に係る空気入りタイヤ１０の断面を示す図である。図１に示すように、空気入りタイヤ１０は、少なくともタイヤ周方向に延びる複数の主溝３１によって区画された複数のブロック３２を備えるトレッド部３０と、トレッド部３０からサイドウォール部２０を通りビードコア４０に至るカーカス５０と、タイヤ周方向に対して小角度に配置されたコードを複数備えているベルト層６０ａ，６０ｂと、カーカス５０とベルト層６０ｂとの間にタイヤ周方向に螺旋巻きされた補強コード７１からなる補強層７０とを備えている。
【００１１】
図２は、補強層７０の構造及びその周辺構造の例を示す図である。図２に示すように、補強層７０は、補強層７０の一端７０ａから他端７０ｂに向けてタイヤ赤道（ＣＬ）に対して非対称な剛性を有している。具体的には、補強層７０の一端７０ａから他端７０ｂに向けて剛性が徐々に高くなるように、補強コード７１の撚り数は、補強層７０の一端７０ａから他端７０ｂに向けて少なくなっている。
【００１２】
図３は、補強層７０の構造及びその周辺構造の他の例を示す図である。図３に示すように、補強コード７１は、補強層７０の一端７０ａから他端７０ｂに向けて徐々に密に備えられてもよい。具体的には、補強層７０の一端７０ａから他端７０ｂに向けて剛性が徐々に高くなるように、補強コード７１は、補強層７０の一端７０ａから他端７０ｂに向けて徐々に密に備えられている。
【００１３】
図４は、補強層７０の構造及びその周辺構造の他の例を示す図である。図４に示すように、補強コード７１の幅は、補強層７０の一端７０ａから他端７０ｂに向けて徐々に広くなってもよい。具体的には、補強層７０の一端７０ａから他端７０ｂに向けて剛性が徐々に高くなるように、補強コード７１の幅は、補強層７０の一端７０ａから他端７０ｂに向けて徐々に広くなっている。
【００１４】
このような本発明によれば、補強層７０の一端７０ａにおいて高速耐久性能及び耐摩耗性能が確保され得る剛性の補強コード７１が備えられ、補強層７０の他端７０ｂにおいてその剛性よりも増加された補強コード７１が備えられることにより、高速時においてトレッド部３０がタイヤの外側に向けて変形し難くなり、トレッド部３０の接地形状が適切な形状に保持し続けるため、高速時においてもタイヤの横力が良好に保たれて、操縦安定性能及び高速耐久性能が良好に保たれる。一方、補強層７０の一端７０ａにおいて高速耐久性能及び耐摩耗性能が確保され得る剛性の補強コード７１が備えられ、補強層７０の他端７０ｂにおいてその剛性よりも減少された補強コード７１が備えられることにより、タイヤ幅方向の他端における柔軟性が向上してサイドウォール部２０が滑り難くなるため、耐摩耗性能及び高速耐久性能が良好に保たれる。このように、補強層７０がタイヤ赤道に対して非対称なタイヤ幅方向の剛性を有していることにより、操縦安定性能及び高速耐久性能と、耐摩耗性能及び高速耐久性能とのいずれかを満足することができる。
【実施例】
【００１５】
本発明の実施形態に係る空気入りタイヤの実施例について、以下詳細に説明する。本実施例では、２３５／４５ＺＲ１７のタイヤが８Ｊのリムに組み付けられ、規定内圧２．４ｋｇｆ／ｃｍ２が充填されている。また、規定最大負荷（６５０ｋｇｆ）の７０％である４５０ｋｇの質量が平板上に負荷され、タイヤの回転速度が５０ｋｍ／ｈ、タイヤの進行方向とタイヤの回転面とのずれが１°である条件下でタイヤの横力（旋回性能）が測定された。また、上記タイヤを２５００ｃｃの後輪駆動の車両に装着させ、２名のテストドライバーにより車両を６０〜１２０ｋｍ／ｈの範囲で直進走行、レーンチェンジ走行などささせて、操縦安定性能と摩耗量（耐摩耗性能）とを測定した。さらに、操縦安定性能を行った後のタイヤを分解し、分解されたタイヤのベルト層の端部に生じている亀裂の長さ（耐久性能）を測定した。なお、旋回性能能、操縦安定性能、耐摩耗性能及び耐久性能は、従来例１の指数を１００とする指数で示されている。
【００１６】
図５は、旋回性能能、操縦安定性能、耐摩耗性能及び耐久性能の実験結果を示す図である。また図６は、タイヤ幅方向に対する補強コードの剛性分布を示す図である。ここで、図５に示す従来例１では、ベルト層とカーカスとの間に補強層が備えられている（図１参照）。従来例２では、補強層の全幅の剛性が、従来例１の補強層の全幅の剛性よりも１０％増加されている。従来例３では、補強層の全幅の剛性が、従来例１の補強層の全幅の剛性よりも１０％減少されている。
【００１７】
図６に示すように、実施例１では、補強層の他端７０ｂにおける補強コードの剛性は、補強層の一端７０ａにおける補強コードの剛性よりも高くなっており、補強層の他端７０ｂにおける補強コードの打ち込み密度は、補強層の一端７０ａにおける補強コードの打ち込み密度よりも１０％高くなっている。
【００１８】
実施例２では、補強層の一端７０ａにおける補強コードの剛性は、補強層の他端７０ｂにおける補強コードの剛性よりも高くなっており、補強層の一端７０ａにおける補強コードの打ち込み密度は、補強層の他端７０ｂにおける補強コードの打ち込み密度よりも１０％高くなっている。
【００１９】
実施例３では、補強層の他端７０ｂにおける補強コードの剛性は、補強層の一端７０ａにおける補強コードの剛性よりも高くなっており、補強層の他端７０ｂにおける補強コードの撚り数は、補強層の一端７０ａにおける補強コードの撚り数よりも１０％少なくなっている。
【００２０】
実施例４では、補強層の一端７０ａにおける補強コードの剛性は、補強層の他端７０ｂにおける補強コードの剛性よりも高くなっており、補強層の一端７０ａにおける補強コードの撚り数は、補強層の他端７０ｂにおける補強コードの撚り数よりも１０％少なくなっている。
【００２１】
実施例５では、補強層の他端７０ｂにおける補強コードの剛性は、補強層の一端７０ａにおける補強コードの剛性よりも高くなっており、補強層の他端７０ｂにおける補強コードの幅は、補強層の一端７０ａにおける補強コードの幅よりも１０％広くなっている。
【００２２】
図６に示す実施例１，３，５に示すように、補強層の一端７０ａにおいて耐久性能及び耐摩耗性能が確保され得る剛性の補強コードが備えられ、補強層の他端７０ｂにおいてその剛性よりも増加された補強コードが備えられることにより、高速時においてトレッド部がタイヤの外側に向けて変形し難くなり、トレッド部の接地形状が適切な形状に保持し続けるため、高速時においてもタイヤの横力が良好に保たれて、旋回性能、操縦安定性能及び耐久性能が良好に保たれていることが分かる。
【００２３】
また、図６に示す実施例２，４に示すように、補強層の一端７０ａにおいて耐久性能及び耐摩耗性能が確保され得る剛性の補強コード７１が備えられ、補強層の他端７０ｂにおいてその剛性よりも減少された補強コードが備えられることにより、タイヤ幅方向の他端における柔軟性が向上してサイドウォール部が滑り難くなるため、耐摩耗性能及び耐久性能が良好に保たれていることが分かる。
【図面の簡単な説明】
【００２４】
【図１】本実施形態における空気入りタイヤの断面を示す図である。
【図２】本実施形態における補強層の周辺構造を示す図である（その１）。
【図３】本実施形態における補強層の周辺構造を示す図である（その２）。
【図４】本実施形態における補強層の周辺構造を示す図である（その３）。
【図５】本実施形態における旋回性能、操縦安定性能、耐摩耗性能、耐久性能の実験結果を示す図である。
【図６】本実施形態におけるタイヤ幅方向に対する補強コードの剛性分布を示す図である。
【符号の説明】
【００２５】
１０…空気入りタイヤ、２０…サイドウォール部、３０…トレッド部、４０…ビードコア、５０…カーカス、６０…ベルト層、７０…補強層
【図１】
2006188154.tif 000003
【図２】
2006188154.tif 000004
【図３】
2006188154.tif 000005
【図４】
2006188154.tif 000006
【図５】
2006188154.tif 000007
【図６】
2006188154.tif 000008